(57)【要約】【課題】あるエリアにおいて釣りにどれくらい適しているかの判断や、釣りに適した場所探しの支援を行なうことができる釣り情報提供プログラム及び釣り情報提供装置を提供する。【解決手段】コンピュータを、風向きを表す風向情報に基づく風向識別子及び水際の地形の向きを表す水際向情報に基づく水際向識別子を含む出力情報を生成する出力情報生成部２４と、出力情報を表示装置１６へ出力する出力部２５と、として機能させることを特徴とする釣り情報提供プログラムである。【選択図】    図３
2016059358.tif 000002
【特許請求の範囲】
【請求項１】
コンピュータを、
風向きを表す風向情報に基づく風向識別子及び水際の地形の向きを表す水際向情報に基づく水際向識別子を含む出力情報を生成する出力情報生成部と、
前記出力情報を表示手段へ出力する出力部と、
として機能させることを特徴とする釣り情報提供プログラム。
【請求項２】
前記コンピュータを、前記地形を表す地形情報から前記水際向情報を生成する水際向情報生成部として機能させ、
前記水際向情報生成部は、前記水際の境界における２点を結ぶ線に対して直交する方向を、前記水際の向きとすることを特徴とする請求項１記載の釣り情報提供プログラム。
【請求項３】
前記コンピュータを、前記風向情報と前記水際向情報とから、釣りの実現可能性の指標となる風スコア情報を生成する風スコア生成部として機能させ、
前記出力情報生成部は、前記風スコア情報に基づく風スコア識別子を含む前記出力情報を生成することを特徴とする請求項１または２記載の釣り情報提供プログラム。
【請求項４】
前記出力情報には、前記風スコア識別子と、当該風スコア識別子の生成の基礎となった前記風向情報に対応する前記風向識別子と、当該風スコア識別子の生成の基礎となった前記水際向情報に対応する前記水際向識別子と、のうち少なくとも２つが関連づけられていることを特徴とする請求項３記載の釣り情報提供プログラム。
【請求項５】
第１エリアにおける前記風スコア情報を第１エリア風スコア情報と、
第１エリアとは異なる第２エリアにおける前記風スコア情報を第２エリア風スコア情報と、定義した際、
前記出力情報には、前記第１エリア風スコア情報の識別子と前記第２エリア風スコア情報の識別子とが含まれていることを特徴とする請求項３または４記載の釣り情報提供プログラム。
【請求項６】
所定のエリアにおける第１の風向きを表す前記風向情報を第１風向情報と、当該エリアにおける前記第１の風向きとは異なる風向きの第２の風向きを表す前記風向情報を第２風向情報と、定義した際、
前記出力情報には、前記第１風向情報から生成された前記風スコア識別子と、前記第２風向情報から生成された前記風スコア識別子と、が関連づけられていることを特徴とする請求項３ないし５のうちいずれか１項記載の釣り情報提供プログラム。
【請求項７】
コンピュータを、
風向きを表す風向情報と水際の地形の向きを表す水際向情報とから、釣りの実現可能性の指標となる風スコア情報を生成する風スコア生成部と、
前記風スコアを表す風スコア識別子を含む出力情報を生成する出力情報生成部と、
前記出力情報を表示手段へ出力する出力部と、
として機能させることを特徴とする釣り情報提供プログラム。
【請求項８】
請求項１ないし７に記載の釣り情報提供プログラムを備えたことを特徴とする釣り情報提供装置。
【発明の詳細な説明】
【技術分野】
【０００１】
本発明は、釣り情報提供プログラム及び釣り情報提供装置に関する。
【背景技術】
【０００２】
釣りを計画する際、快晴、曇り、雨等といった天気の分類や、ターゲットとなる魚の種類や、釣りの方式等に基づいて、その場所を選択することが通常である。このため、計画時には、候補日における各地の天気予報や、過去の釣果情報（例えば、特許文献１）を入手するとともに、これらの入手情報を総合的に各自が判断しながら、計画をたてていく。
【先行技術文献】
【特許文献】
【０００３】
【特許文献１】特開２００４−２９０１２７号公報
【発明の概要】
【発明が解決しようとする課題】
【０００４】
ところが、釣りの場合には、当日の天気が快晴であっても、釣りができない場合がある。例えば、追い風３ｍの中でキャスティングを行なうことは、初心者でも容易に釣りを楽しむことができるが、向かい風３ｍの中でキャスティングを行なうことは、上級者にとっても難しい場合がある。
【０００５】
また、現場に到着した際、そこの風の条件が釣りに不適な場合には、釣りに適した場所への移動が必要になる。ここで、釣りに適しているか否かの判断には、風の条件のみならず投げる方向も考慮する必要がある。しかしながら、特許文献１に記載のような釣り情報を提供する装置においては、風の条件と地形とを個別にユーザへ提供するにとどまる。このため、釣りに適しているか否かの判断を行なうために、風の条件と地形とをユーザが独自に組み合わせ判断せざるを得ない。この結果、場所探しに時間がかかるといった問題のみならず、得られた判断も常に正しいものとはいえない。
【０００６】
また、家族やカップルで釣りを行なう場合、そこには釣りの初心者が含まれることが多い。このような初心者は、現場に到着してスムーズに釣りが楽しめないことをきっかけに、釣りの興味が削がれるばかりか、釣りに対して悪い印象ばかりが残ってしまう。
【０００７】
本発明は、上記課題を解決するためになされたものであって、あるエリアにおいて釣りにどれくらい適しているかの判断や、釣りに適した場所探しの支援を行なうことができる釣り情報提供プログラム及び釣り情報提供装置を提供することを目的とする。
【課題を解決するための手段】
【０００８】
本発明は、上記課題に鑑みてなされ、コンピュータを、風向きを表す風向情報に基づく風向識別子及び水際の地形の向きを表す水際向情報に基づく水際向識別子を含む出力情報を生成する出力情報生成部と、前記出力情報を表示手段へ出力する出力部と、として機能させることを特徴とする釣り情報提供プログラムである。
【０００９】
前記コンピュータを、前記地形を表す地形情報から前記水際向情報を生成する水際向情報生成部として機能させ、前記水際向情報生成部は、前記水際の境界における２点を結ぶ線に対して直交する方向を、前記水際の向きとすることが好ましい。
【００１０】
前記コンピュータを、前記風向情報と前記水際向情報とから、釣りの実現可能性の指標となる風スコア情報を生成する風スコア生成部として機能させ、前記出力情報生成部は、前記風スコア情報に基づく風スコア識別子を含む前記出力情報を生成することが好ましい。また、前記出力情報には、前記風スコア識別子と、当該風スコア識別子の生成の基礎となった前記風向情報に対応する前記風向識別子と、当該風スコア識別子の生成の基礎となった前記水際向情報に対応する前記水際向識別子と、のうち少なくとも２つが関連づけられていることが好ましい。さらに、第１エリアにおける前記風スコア情報を第１エリア風スコア情報と、第１エリアとは異なる第２エリアにおける前記風スコア情報を第２エリア風スコア情報と、定義した際、前記出力情報には、前記第１エリア風スコア情報の識別子と前記第２エリア風スコア情報の識別子とが含まれていることが好ましい。加えて、所定のエリアにおける第１の風向きを表す前記風向情報を第１風向情報と、当該エリアにおける前記第１の風向きとは異なる風向きの第２の風向きを表す前記風向情報を第２風向情報と、定義した際、前記出力情報には、前記第１風向情報から生成された前記風スコア識別子と、前記第２風向情報から生成された前記風スコア識別子と、が関連づけられていることが好ましい。
【００１１】
また、本発明は、コンピュータを、風向きを表す風向情報と水際の地形の向きを表す水際向情報とから、釣りの実現可能性の指標となる風スコア情報を生成する風スコア生成部と、前記風スコアを表す風スコア識別子を含む出力情報を生成する出力情報生成部と、前記出力情報を表示手段へ出力する出力部と、して機能させることを特徴とする釣り情報提供プログラムである。
【００１２】
また、本発明は、上記の釣り情報提供プログラムを備えたことを特徴とする釣り情報提供装置である。
【発明の効果】
【００１３】
本発明によれば、あるエリアにおいて釣りにどれくらい適しているかの判断や、釣りに適した場所探しの支援を行なうことができる。
【図面の簡単な説明】
【００１４】
【図１】釣り情報提供システムの概要を示す構成図である。
【図２】釣り情報提供装置の概要を示す構成図である。
【図３】釣り情報提供プログラムの概要を示す機能ブロック図である。
【図４】（ａ）は、地形情報の概要を示す説明図である。（ｂ）は、風情報の概要を示す説明図である。
【図５】水際向情報演算処理の概要を示す説明図である。
【図６】水際向情報の概要を示す説明図である。
【図７】風スコア算出テーブルの概要を示す説明図である。
【図８】風スコア識別子ＭＷＳが表示された表示装置の画面の概要を示す説明図である。
【図９】風スコア識別子ＭＷＳが表示された表示装置の画面の概要を示す説明図である。
【図１０】風スコア識別子ＭＷＳが表示された表示装置の画面の概要を示す説明図である。
【発明を実施するための形態】
【００１５】
図１に示すように、釣り情報提供システム２は、各情報を格納した情報提供サーバ５と、釣り情報をユーザへ提供するための釣り情報提供装置６と、情報提供サーバ５及び釣り情報提供装置６の通信経路を形成するネットワーク７と、を備える。釣り情報提供装置６が所定の要求コマンドを発行すると、ネットワーク７を介して、その要求コマンドは情報提供サーバ５にて受け付けられる。そして、情報提供サーバ５は、釣り情報提供装置６等からの要求コマンドに応じた情報を、ネットワーク７を介して、要求元である釣り情報提供装置６へ送信する。釣り情報提供装置６は、情報提供サーバ５から受信した各種情報に基づいて、所定の情報を表示することで、釣り情報をユーザへ提供する。
【００１６】
図２に示すように、釣り情報提供装置６は、ＣＰＵ１１と、ＲＡＭ１２と、ＲＯＭ１３と、記憶装置１４と、入力装置１５と、表示装置１６と、入出力インターフェース１７と、ＧＰＳ１８と、バス１９と、を備えている。
【００１７】
ＣＰＵ１１は、いわゆる中央演算処理装置であり、各種プログラム（例えば、釣り情報提供プログラム）が実行されて釣り情報提供装置６の各種機能を実現する。ＲＡＭ１２は、いわゆるＲＡＭ（ランダム・アクセス・メモリ）であり、ＣＰＵ１１の作業領域として使用される。ＲＯＭ１３は、いわゆるＲＯＭ（リード・オンリー・メモリ）であり、ＣＰＵ１１で実行される基本ＯＳや各種プログラム（例えば、釣り情報提供プログラム）を記憶する。記憶装置１４は、メモリカードやハードディスクドライブなどであり、外部機器から受信した情報や各種プログラムの演算結果等を記憶する。
【００１８】
入力装置１５は、入力キーやキーボード、マウスであり、各種情報を入力する。表示装置１６は、ディスプレイであり、各種動作状態を表示する。入出力インターフェース１７は、無線通信のアンテナ、ＧＰＳアンテナや、外部機器用のコネクタであって、所定の制御信号等が入出力される。ＧＰＳ１８は、入出力インターフェース１７を介して、釣り情報提供装置６の現在の位置情報を取得するものである。バス１９は、ＣＰＵ１１、ＲＡＭ１２、ＲＯＭ１３、記憶装置１４、入力装置１５、表示装置１６、入出力インターフェース１７などを一体的に接続して通信を行う配線となる。
【００１９】
ＲＯＭ１３に記憶された基本ＯＳや各種プログラムが、ＣＰＵ１１によって実行されると、図３に示すように、釣り情報提供装置６は、各種情報を受け付ける受付部２１と、所定の演算を行なう演算部２２と、所定の識別子を表示するための識別子情報を生成する識別子生成部２３と、複数の識別子情報を組み合わせてなる出力情報を生成する出力情報生成部２４と、出力情報を表示装置１６へ出力する出力部２５と、記憶装置１４に対する各種情報の記憶処理を行なう記憶処理部２６と、して機能する。
【００２０】
次に、釣り情報提供装置６を構成する各部の詳細を説明する。
【００２１】
受付部２１は、入出力インターフェース１７等を介して、所定の情報（例えば、風速情報、風向情報、位置情報等）を受け付ける。ここで、風速情報は、所定のエリアにおける風速ＷＳを示す情報であり、風向情報は、所定のエリアにおける風向ＷＤを示す情報である。位置情報は、ＧＰＳ１８が得た、釣り情報提供装置６の現在位置を表す情報である。
【００２２】
なお、受付部２１は、入出力インターフェース１７を介して各種の情報を受け付けるとしたが、本発明はこれに限られず、ユーザによる所定の情報の入力操作等、入力装置１５を介して各種の情報を受け付けてもよい。
【００２３】
演算部２２は、受け付けた各種情報に所定のＩＤを付与するＩＤ付与処理、水際の地形の向きを表す水際向情報から地形情報を生成する水際向情報演算処理、釣りの実現可能性の指標となる風スコア情報を水際向情報及び風向情報から生成する風スコア情報演算処理を行う。
【００２４】
ＩＤ付与処理では、演算部２２が、位置情報に基づいて、記憶装置１４に記憶されている地図データから、水際の境界線等、所定のエリアの地形を示す地図情報を生成する。さらに、演算部２２は、この地図情報を、対応するエリアの識別子である位置ＩＤと関連づけて、地形情報を生成する（図４（ａ））。さらに、演算部２２は、当該エリアの識別子である位置ＩＤを、対応する風速情報及び風向情報に関連づけて、風情報を生成する（図４（ｂ））。
【００２５】
水際向情報演算処理では、図５に示すように、所定のエリアの地形を表す地形情報から水際の境界線ＢＬを抽出する。ここで、図５に示された地形情報の画面において、ハッチングを施した部分が陸部分であり、非ハッチング部が水部分である。次に、水際の境界線ＢＬ上の２点（図中の点Ｐ及び点Ｑ）を選ぶ。その次に、当該２点を結ぶ線分ＰＱに直交するとともに、水側を向く水際方向ＰＤを算出する。算出された水際方向ＰＤは、当該エリアに対応する位置ＩＤとの関連づけによって、水際向情報となる。なお、水際方向ＰＤとして１６方位を採用した場合の水際向情報を図６に示す。なお、水際向情報に採用できる方位の種類は、東西南北の４方位、８方位等、公知のものを採用できる。
【００２６】
風スコア情報演算処理では、あるエリアにおける風情報（図４（ｂ））・水際向情報（図６）と、風スコア算出テーブル（図７）とに基づいて、風スコアを表す風スコア情報を生成する。風スコア算出テーブルは、図７に示すように、風情報と水際方向ＰＤと風スコアとを関連づけるものであり、風情報と水際方向ＰＤとがマトリックス状に配置され、それぞれの交点に、所定の風スコアが配置されている。例えば、風向ＷＤが「東」、風速ＷＳが「３ｍ」の場合において、水際方向ＰＤが「北」の場合は、風スコアが「７５」、水際方向ＰＤが「北北東」の場合は、風スコアが「７０」、水際方向ＰＤが「北東」の場合は、風スコアが「６５」、水際方向ＰＤが「東北東」の場合は、風スコアが「６０」、水際方向ＰＤが「東北東」の場合は、風スコアが「５５」と、向かい風に近づくに従って、風スコアの値が小さくなる。また、風向ＷＤ及び水際方向ＰＤを固定した場合、風速ＷＳが大きくなるに従って、風スコアの値が小さくなる。このような風スコア算出テーブルを利用することで、所定のエリアにおける風情報・水際向情報とから、風スコア情報を生成することができる。
【００２７】
識別子生成部２３は、所定の情報に基づいて、その情報に対応した識別子を生成する。  出力情報生成部２４は、前述した各識別子を組み合わせて、所定の画面情報を生成し、表示装置１６へ送信する。表示装置１６は、送信された画面情報に基づいた画面を表示する（図８）。
【００２８】
次に、識別子生成部２３が生成する識別子について説明する。  
【００２９】
識別子生成部２３は、風速情報（図４（ｂ））から風速識別子ＭＷＳを生成する。同様にして、識別子生成部２３は、風向情報（図４（ｂ））・地形情報（図４（ａ））・水際方向ＰＤ（図６）・風スコア情報（図７）から、風向識別子ＭＷＤ・地形識別子ＭＭＰ・水際方向識別子ＭＰＤ・風スコア識別子ＭＷＳをそれぞれ生成する（図８）。風速識別子ＭＷＳは、表示装置１６の画面上において、当該エリアにおける風速ＷＳを表すものである。同様にして、風向識別子ＭＷＤは当該エリアにおける風向ＷＤを、地形識別子ＭＭＰは当該エリアの地形図を、水際方向識別子ＭＰＤは当該エリアにおける水際方向ＰＤを、風スコア識別子ＭＷＳは当該エリアにおける風スコアを、それぞれ表示装置１６の画面上にて表すものである。ここで、風速識別子ＭＷＳや風スコア識別子ＭＷＳは、その数値や大きさを直感的に理解可能な形状であることが好ましく、風向識別子ＭＷＤや水際方向識別子ＭＰＤは、方向を直感的に理解可能な形状であることが好ましい。また、図８では、風速識別子ＭＷＳとして風速ＷＳの値を、風向識別子ＭＷＤ・水際方向識別子ＭＰＤとして矢印を、それぞれ採用している。また、風スコア識別子ＭＷＳは棒グラフを採用している。図における風スコア識別子ＭＷＣとしては、１００点満点の長さの棒の上に、実際の風スコアに相当する棒の長さを表示する形態を採用している。これにより、実際の風スコアが、理想状態（１００満点の状態）からどれくらい離れているかを、直感的に把握することができる。
【００３０】
記憶処理部２６は、受付部２１で受け付けた各情報や、演算部２２、識別子生成部２３及び出力情報生成部２４等で生成された各情報を、記憶装置１４に記憶する。
【００３１】
次に、釣り情報提供装置６の作用について説明する。
【００３２】
図１〜３に示すように、ユーザによる入力装置１５の操作によって、釣り情報提供装置６から情報提供サーバ５へ所定の要求コマンドを発行する。情報提供サーバ５は、この要求コマンドに応じた情報を要求元である釣り情報提供装置６へ送信する。要求元の釣り情報提供装置６において、受付部２１が、情報提供サーバ５から受信した地図情報、風速情報や風向情報を受け付け、地図情報から地形情報を、風速情報や風向情報から風情報をそれぞれ生成する（図４）。その後、演算部２２は、地形情報から水際向情報を生成する水際向情報演算処理と、水際向情報及び風向情報から風スコア情報を生成する風スコア情報演算処理とを行なう。これにより、水際向情報（図６）及び風スコア情報（図７）が生成される。識別子生成部２３は風速情報等の各種情報から各識別子を生成し、出力情報生成部２４は、これらの各識別子を組み合わせて、出力情報を生成する。出力部２５が出力情報を表示装置１６へ出力すると、表示装置１６は、送信された出力情報に基づいた画面を表示する（図８）。ここで、当該エリアに関する風速情報・風向情報・水際方向ＰＤ・風スコア情報は関連づけられた状態で出力情報に含まれるため、この出力情報に基づいて表示される画面には、水際方向識別子ＭＰＤと風スコア識別子ＭＷＳと風速識別子ＭＷＳと風向識別子ＭＷＤとが関連づけられて表示される。
【００３３】
表示装置１６の画面（図８）には、風スコア情報（図７）を表す風スコア識別子ＭＷＳが表示されるため、この画面をみたユーザは、今自分がいるエリアにおいて、釣りにどれくらい適しているかを理解することができる。
【００３４】
また、釣りの初心者や、普段、気象情報に馴染みがない人は、用語「南風」を、「南から吹く風」ではなく、「南に向かって吹く風」と、理解してしまう人も珍しくない。本発明では、風向識別子ＭＷＤが、風向きを直感的に把握できる形状（例えば、矢印）となっているため、風向きに対して不慣れな人であっても風向きを正確に理解することができる。
【００３５】
さらに、釣り場紹介の本や雑誌に記載される地図は、誌面の都合上、簡略化されることが多い。特に、水際の地形は、簡略化されやすい傾向にある。加えて、本や雑誌に記載される地図は、常に北側が上に向いていないばかりか、地図に方向が記載されていない場合や、方向が正しくない場合もある。本発明によれば、水際方向識別子ＭＰＤが、水際の地形の向きを直感的に把握できる形状（例えば、矢印）となっているため、地図が不慣れな人であっても、水際の地形の向きを正確に把握できる。
【００３６】
したがって、本発明によれば、あらゆる人に対し、現場における水際の地形の正しい向き、及び現場における正しい風向きを提供することができるため、ユーザは、両方向を直感的に理解することができる。
【００３７】
上記実施形態では、釣り情報提供装置６の現在位置における風スコア識別子（図８）を表示したが、本発明はこれに限られず、ユーザが指定したエリアにおける風スコア識別子を表示してもよい。また、ユーザが指定したエリアにおける風スコア識別子に加え、当該指定エリアの周辺エリアにおける風スコア識別子を併せて表示しても良いし、ユーザが複数のエリアを指定した場合には、それぞれのエリアにおける風スコア識別子を表示してもよい（図９）。図９の場合では、エリアごとの風速情報・風向情報・水際方向ＰＤ・風スコア情報は関連づけられた状態で出力情報に含まれるため、この出力情報に基づいて表示される画面には、エリアごとの識別子（水際方向識別子ＭＰＤと風スコア識別子ＭＷＳ）と、エリア間で共通の識別子（風速識別子ＭＷＳ・風向識別子ＭＷＤ）とが関連づけられて表示されている。このように、釣り情報提供装置６の現在位置とは異なるエリアにおける風スコア識別子を表示することで、釣りに適した場所探しが可能となる。
【００３８】
上記実施形態では、釣り情報提供装置６の現在位置において、現在の風向きに対応する風スコア識別子（図８）を表示したが、本発明はこれに限られず、現在の風向きと異なる風向きに対応する風スコア識別子を併せて表示しても良い。図１０では、画面の上側を「北」とする方位の定義を採用した際、当該定義に従って、所定のエリアにおける風向識別子ＭＷＤと当該エリアにおける風スコア識別子ＭＷＳとを表示している。すなわち、風向識別子ＭＷＤと風スコア識別子ＭＷＳとは、方位の定義を介して関連づけられている。これにより、現在地において、風向きが変わったときに、風スコアがどのように変化するかを、予めユーザへ提供することができる。さらに、複数のエリアにおいて、複数の風向きに対応する風スコア識別子をそれぞれ表示することにより、風向きが変わったときにどのエリアに移動すれば良いか、を予めユーザへ提供することができる。
【００３９】
さらに、別の使い方として、現在の風向きにおいてキャスティングが行ないやすい方向を、風スコア識別子から判断することができる。図１０においては、それぞれの水際方向に関連づけられた風スコアが表示されているが、この水際方向は、キャスティング方向として機能する。
【００４０】
なお、本発明は、サビキ釣り、ウキ釣り、投げ釣り、弓ヅノ釣り、ルアー釣り、エギング、ミャク釣り、カゴ釣り、落とし込み釣り等といった堤防で行なわれる釣りの他、洋上で行なわれる船釣り等、あらゆる釣りに関する情報提供プログラムとして利用可能である。
【符号の説明】
【００４１】
２    情報提供システム
５    情報提供サーバ
６    情報提供装置
７    ネットワーク
２１    受付部
２２    演算部
２３    識別子生成部
２４    出力情報生成部
２５    出力部
２６    記憶処理部
【図１】
2016059358.tif 000003
【図２】
2016059358.tif 000004
【図３】
2016059358.tif 000005
【図４】
2016059358.tif 000006
【図５】
2016059358.tif 000007
【図６】
2016059358.tif 000008
【図７】
2016059358.tif 000009
【図８】
2016059358.tif 000010
【図９】
2016059358.tif 000011
【図１０】
2016059358.tif 000012